(57)【要約】【課題】  本発明の課題は、装置に関する情報以外に、画像を表示することができる表示手段を有する電解水供給装置を提供することを目的とする。【解決手段】  本発明は、原水を電解することによって酸性又はアルカリ性の電解水を供給することができ、酸性の電解水によって細菌等の殺菌消毒や、たんぱく質等による汚れの洗浄等を行うことができる。また、水素イオン濃度によっては飲料水を提供することもできる。さらには、表示手段によって、所定の情報又は画像を表示することで、装置に関する情報以外の情報や画像を提供することができる。【選択図】  図２
2007038063.tif 000002
【特許請求の範囲】
【請求項１】
原水を電解することで生成した酸性又はアルカリ性の電解水を出水させる電解水供給装置であって、
前記原水から電解によって酸性又はアルカリ性の電解水を生成する電解槽と、
前記電解槽に前記原水を供給する供給手段と、
前記電解槽で生成した前記電解水を出水する出水手段と、
画像を表示する表示手段と、
表示部に表示される前記画像に対応する音声を出力する音声出力手段と、
前記表示手段を制御し、前記出水手段から出水される前記電解水の状態を前記表示手段に表示させる制御部とを有することを特徴とする電解水供給装置。
【請求項２】
テレビ放送信号を受信する受信手段を備え、
前記表示手段は、前記受信手段で受信した前記テレビ放送信号に基づいた画像を表示し、
前記音声出力手段は、前記受信手段で受信した前記テレビ放送信号、及び、前記表示手段で表示する前記映像に対応する音声を出力することを特徴とする請求項１記載の電解水供給装置。
【請求項３】
前記制御部は、前記出水手段から出水する前記電解水の水素イオン濃度を前記電解水の状態として前記表示部に表示させることを特徴とする請求項１記載の電解水供給装置。
【請求項４】
前記出水手段は、前記電解水を噴霧するように出水することを特徴とする請求項１記載の電解水供給装置。
【請求項５】
前記電解槽で生成された酸性の前記電解水を貯蔵する酸性電解水貯蔵部と、
前記電解槽で生成されたアルカリ性の前記電解水を貯蔵するアルカリ性電解水貯蔵部とを備えることを特徴とする請求項１記載の電解水供給装置。
【請求項６】
前記電解槽で生成される酸性の前記電解水とアルカリ性の前記電解水とを混合する混合部を有し、
前記混合部は、前記出水手段で出水する前記電解水の水素イオン濃度を調節することを特徴とする請求項１記載の電解水供給装置。
【発明の詳細な説明】
【技術分野】
【０００１】
本発明は、画像を見ることができるとともに、原水を電解することで生成した酸性又はアルカリ性の電解水を出水する電解水供給装置に関するものである。
【背景技術】
【０００２】
水を電解することによって酸性又はアルカリ性の電解水を出水する装置が種々開発されている。この酸性の電解水は、細菌等の消毒や殺菌に利用される。そして、このアルカリ性の電解水は、汚れの主成分であるたんぱく質を除去することが容易で、水素イオン濃度によっては、飲料水として提供されている。そのような電解水供給装置の中で、電解水の水素イオン濃度を測定するためのｐＨセンサを備えた装置であって、そのｐＨセンサの劣化を表示する表示手段を備えた装置がある（例えば、特許文献１参照）。
【０００３】
【特許文献１】特開平０７−２２２９８０号公報
【発明の開示】
【発明が解決しようとする課題】
【０００４】
しかしながら、特許文献１に記載された装置は、ｐＨセンサの劣化や出水する電解水の状態等の装置に関する情報を使用者に提供するもので、表示手段はこれらの情報を表示するに過ぎない。すなわち、これら、装置に関する情報以外に、画像を表示することができないという問題点があった。
【０００５】
そこで、本発明は、上記実情に鑑み、装置に関する情報以外に、画像を表示することができる表示手段を有する電解水供給装置を提供することを目的とする。
【課題を解決するための手段】
【０００６】
本発明の電解水供給装置は、原水を電解することで生成した酸性又はアルカリ性の電解水を出水させる電解水供給装置であって、前記原水から電解によって酸性又はアルカリ性の電解水を生成する電解槽と、前記電解槽に前記原水を供給する供給手段と、前記電解槽で生成した前記電解水を出水する出水手段と、画像を表示する表示手段と、表示部に表示された前記画像に対応する音声を出力する音声出力手段と、前記表示手段を制御し、前記出水手段から出水される前記電解水の状態を前記表示手段に表示させる制御部とを有することを特徴とする。
【０００７】
本発明の電解水供給装置によれば、原水を電解することによって酸性又はアルカリ性の電解水を供給することができ、酸性の電解水によって細菌等の殺菌消毒や、たんぱく質等による汚れの洗浄等を行うことができる。また、水素イオン濃度によっては飲料水を提供することもできる。さらには、表示手段によって、画像を表示することで、装置に関する情報以外の情報や画像を提供することができる。
【０００８】
本発明の電解水供給装置において、テレビ放送信号を受信する受信手段を備え、前記表示手段は、前記受信手段で受信した前記テレビ放送信号に基づいた画像を表示し、前記音声出力手段は、前記受信手段で受信した前記テレビ放送信号、及び、前記表示手段で表示する前記映像に対応する音声を出力することを特徴とする。これにより、表示手段に、テレビ放送を表示するとことができる。したがって、テレビ放送を通じて、装置に関する情報以外の情報や画像を提供することができる。
【０００９】
本発明の電解水供給装置において、前記制御部は、前記出水手段から出水する前記電解水の水素イオン濃度を前記電解水の状態として前記表示部に表示させることを特徴とする。これにより、使用する電解水の状態を情報として得ることができ、消毒や洗浄に適した電解水であるか否かを確認することができる。
【００１０】
また、本発明の電解水供給装置において、前記出水手段は、前記電解水を噴霧するように出水することを特徴とする。これにより、広範囲に電解水を出水することができるため、効率的に消毒や洗浄が行える。
【００１１】
さらに、本発明の電解水供給装置において、前記電解槽で生成された酸性の前記電解水を貯蔵する酸性電解水貯蔵部と、前記電解槽で生成されたアルカリ性の前記電解水を貯蔵するアルカリ性電解水貯蔵部とを備えることを特徴とする。これにより、生成した酸性又はアルカリ性の電解水を貯めておくことができる。そのため、消毒及び洗浄を必要とする際に原水の電解を待つことなく酸性又はアルカリ性の電解水を使用することができる。
【００１２】
またさらに、本発明の電解水供給装置において、前記電解槽で生成される酸性の前記電解水とアルカリ性の前記電解水とを混合する混合部を有し、前記混合部は、前記出水手段で出水する前記電解水の水素イオン濃度を調節することを特徴とする。これにより、消毒や洗浄に適した酸性電解水及びアルカリ性電解水を出水することができる。
【発明の効果】
【００１３】
本発明の電解水供給装置は、原水を電解することによって酸性又はアルカリ性の電解水を供給することができ、酸性の電解水によって細菌等の殺菌消毒や、たんぱく質等による汚れの洗浄等を行うことができる。また、水素イオン濃度によっては飲料水を提供することもできる。さらには、表示手段によって、所定の情報又は画像を表示することで、装置に関する情報以外の情報や画像を提供することができる。
【発明を実施するための最良の形態】
【００１４】
以下、本発明の電解水供給装置について図面を用いて説明する。
【００１５】
［実施の形態１］
図１は、本発明の電解水供給装置の外観の一例を示す図である。図２は、本発明の電解水供給装置の内部構造の一例を示すブロック図である。本発明の電解水供給装置は、図１のように、装置本体１０１に、電解水を出水する出水手段である出水口１９を備えるカバー体１０３と、出水口１９から出水された電解水を受け取る受皿体１０２と、表示手段である表示部３０と、音声出力手段である音声出力部３５とを備えている。また、装置を制御するスイッチ群１０４を有している。
【００１６】
また、装置本体１０１内部には、図２のように、供給手段として供給部１０、電解質添加部１１、切替部１２、出水口１９と、電解槽２０と、制御部３９と、記憶部３７と、受信部３８とを備えている。
【００１７】
この装置本体１０１は、略直方体の一部を切り取ったような断面をコの字状の外観形状を有している。また、この装置本体１０１には、装置を駆動させるための通電コードが形成され、この通電コードを介して電源と電気的に接続させることで、電解槽２０での電解反応、装置内のポンプやバルブ等の動作、表示部３０及び音声出力部３５の動作を可能とする。
【００１８】
受皿体１０２は、中心に穴を有し、縁から穴に向かって傾斜するように形成された皿状の部材で、装置本体１０１の下部に備えられている。この受皿体１０２は、カバー体１０３内の出水口１９から出水した電解水を受け取り、中心の穴から配管等を通じて装置本体１０１内の図示されない排水タンクに集められる。この排水タンクは、着脱自在に装置本体１０１内部に装着されており、集められた電解水を適宜捨てることができる。
【００１９】
カバー体１０３は、内部に装置下方に向かって電解水を出水する出水口１９を有し、この出水口１９の周囲を囲うような形状である。このカバー体１０３は、受皿体１０２の上方に離間するように容器本体１０１に備えられている。この出水口１９は、容器本体１０１の内部の図示されない下記で説明する電解槽２０と接続されている。この出水口１９は、複数の穴があけられ、電解水を噴霧するように形成されていてもよく、スプレーノズル等が備え付けられていてもよい。これにより、広範囲に電解水を出水することができるため、効率的に消毒や洗浄が行える。また、このカバー体１０３は、この出水口１９を囲うように形成され、出水口１９から出水される電解水の出水範囲を限定することができる。
【００２０】
このカバー体１０３には、離間して配されている受皿体１０２との間に、消毒洗浄するものを挿入した際に、それを感知するセンサを備えていてもよい。このセンサが消毒や浄するものがカバー体１０３の下方に挿入されたことを感知して、所定量の電解水を出水させることもできる。これにより、装置に触れずして消毒洗浄を行うことができる。
【００２１】
また、出水口１９から出水したことを感知して、消毒洗浄を行うもの付着した電解水を乾燥させる温風噴出部や、紫外線によって殺菌を行う紫外線照射部等を備え付けていてもよい。このように、電解水の出水後に自動的に温風や紫外線照射を行うことで、装置に触れずして消毒や洗浄を行うことができる。
【００２２】
供給部１０は、酸性とアルカリ性の電解水の生成に必要な原水を電解槽２０に供給する。この供給部１０は、ポンプやバルブ等で構成され、電解槽２０に配管等で接続されることで原水の流路が形成されている。したがって、スイッチ群１０４を介した操作に応じてポンプやバルブを制御し、電解槽２０に供給する原水の量を調整することができる。供給部１０で電解槽２０に供給する原水は、タンク等の容器に貯蔵されて装置内に搭載されていても、例えば水道の蛇口のように装置外の原水を装置内に直接導入させていてもよい。
【００２３】
また、供給部１０と電解槽２０とを接続する配管の途中で電解質が添加されるように電解質添加部１１が備えられている。この電解質添加部１１によって電解質が原水に添加される。原水に電解質が添加されることで、電解槽２０における原水の電解が効率的に行われる。この添加される電解質としては、特に限定されるものではないが、例えば塩化ナトリウム、塩化カリウム、塩化カルシウムなどの塩等が挙げられる。この電解質の添加方法としては、特に限定するものではないが、原水の一部を電解質が備えられた電解質添加部１１に通過させたり、電解質をそのまま又は溶液として原水に加えたりして、電解質を原水に添加してもよい。
【００２４】
また、この原水は、原水中の不純物を取り除くために、供給部１０にフィルタや活性炭等を備えていてもよい。これにより、原水内の不純物が減少し、効率的に電解を行うことができる。また、この原水を使用して電解槽２０で生成した酸性やアルカリ性の電解水の水素イオン濃度を調節する際にこれら電解水への不純物の影響を少なくすることができる。さらに、水素イオン濃度が調製されたアルカリ性電解水を飲料水とする場合であっても、不純物による味や匂い等への影響を少なくすることができる。
【００２５】
電解槽２０は、隔膜２１を挟んで、陽極２２と、陰極２３とが対向するように配置されている。この陽極２２と陰極２３は、図示されていない電源装置に接続されている。この電解槽２０に供給部１０から電解質が添加された原水が供給されることで、原水の電解が起こり、陽極２２側に酸性の電解水、陰極２３側にアルカリ性の電解水が生成する。この隔膜２１は、例えば、電解槽２０内で発生するイオンを透過させるイオン交換膜を利用することができる。また、陽極２２及び陰極２３は、例えば、白金やチタン等の金属により形成され、白金チタンコーティングされた電極も使用することができる。
【００２６】
電解槽２０の陽極２２側には、発生した酸性の電解水の流れる流路が例えば配管等により形成されている。この流路は、切替部１２に酸性の電解水を供給するように形成されていればどのような態様であってもよい。
【００２７】
電解槽２０の陰極２３側も同様に、発生したアルカリ性の電解水の流れる流路が配管等により形成されている。この流路は、切替部１２にアルカリ性の電解水を供給するように形成されていればどのような態様であってもよい。これにより、電解槽２０で発生した酸性とアルカリ性の電解水は、混ざらずに切換部１２に供給される。
【００２８】
切替部１２は、電解槽２０と出水口１９との間に設けられ、供給された酸性の電解水とアルカリ性の電解水のうち、いずれか一方を出水口１９に供給するように切り替えることができる。例えば、図３のように、陽極２２側からの流路と陰極２３側からの流路が合流し、出水口１９に供給されるような流路が形成されている。そして、その合流点の上流側の陽極２２側からの流路及び陰極２３側からの流路それぞれにバルブ１、バルブ２が設けられている。このバルブ１及びバルブ２をスイッチ群１０４の操作を介して開け閉めすることで出水口１９に供給させる電解水を切り替えることができる。また、水素イオン濃度を調節したい場合、このバルブ１及びバルブ２を制御することで、酸性とアルカリ性の電解水のそれぞれの流量を調節し、所要の水素イオン濃度とすることも可能である。
【００２９】
そして、切換部１２から出水口１９に供給される電解水は、水素イオン濃度を測定する測定手段として、ｐHセンサ１４を備えていてもよい。このｐHセンサ１４は、測定した結果を表示部３０に表示するために、制御部３９に送信することができる。
【００３０】
出水口１９は、酸性又はアルカリ性の電解水を出水し、カバー体１０３内に備えられている。したがって、この出水口１９は、供給される酸性又はアルカリ性電解水に例えばポンプなどでの圧力を加え、酸性又はアルカリ性の電解水を出水する。
【００３１】
この出水口１９は、供給された酸性又はアルカリ性の電解水を噴霧できるような形状となっていてもよい。例えば、出水口１９に小さい穴が複数設けられ、この穴に向かって各電解水を圧送させることで、電解水を噴霧することができる。また、スプレーノズルを設けてもよい。この場合、生成した電解水を噴霧することで、広範囲に電解水を出水することができ、消毒や洗浄において効率的である。
【００３２】
装置本体１０１に備えられているスイッチ群１０４は、供給部１０、切換部１２に、操作の内容に応じた信号を送信し、装置全体を制御する。このスイッチ群１０４に応じて装置内部のポンプの稼動やバルブの開け閉め等を制御し、出水口１９を有するカバー体１０３から酸性又はアルカリ性の電解水を出水する。また、制御部３９を制御し、画像を表示部３０に表示させ、その表示された画像に対応する音声を音声出力部３５から出力させるように制御部３９に信号を送信する。
【００３３】
表示部３０は、装置本体１０１のカバー体１０３の上方に備えられている。そして、表示部３０に表示される画像に対応する音声を出力する音声出力部３５は、表示部３０の近傍に備えられている。これら、表示部３０及び音声出力部３５は、制御部３９に制御されている。表示部３０で表示する画像及び音声出力部で出力する画像に対応する音声は、装置内１０１に備えられる受信部３８又は記憶部３７から制御部３９を介して表示部３０及び音声出力部３５に提供される。また、表示部３０に表示される画像が音声を出力しないものである場合、音声出力部３５は、表示される画像に対応して音声を出力しないようにすることもできる。そして、表示部３０は、制御部３９を介して、水素イオン濃度を測定するｐHセンサ１４の値を受け取り表示することもできる。この画像とｐHセンサ１４の値は、同時に表示部３０に表示されてもよいが、それぞれ単独で表示させることもできる。表示部３０に表示さえる画像としては、特に限定されるものではなく、静止画、動画、文字、記号等、種々のものが挙げられる。例えば、料理のレシピ等が表示されてもよく、レシピと一緒にその料理の完成した写真を表示させてもよい。
【００３４】
受信部３８は、装置本体１０１外部にあるテレビ放送信号を受信するアンテナやケーブルに接続されるコネクタで、装置本体１０１外部に臨むように形成されている。この受信部３８にテレビ放送信号を受け取るアンテナやケーブルを接続することで、受信部３８がテレビ放送信号を受け取ることができる。この受信部３８は、スイッチ群３８の操作に基づいて制御部３９に制御される。受信部３８で受信した信号が制御部３９に送信され、その信号に基づいて表示部３０に表示できるような画像と、その画像に対応する音声とを制御部３９で生成する。そして、制御部３９の制御により画像を表示部３０で表示し、音声を音声出力部３５から出力する。このように、テレビ放送信号を受信する受信部を備え、テレビ放送を表示部３０に表示することで、装置に関する情報以外の情報や画像を提供することができる。
【００３５】
家庭内においても、病気等の原因となる細菌やカビ胞子等に注意し、消毒洗浄が念入りに行われている。特に、このような細菌やカビ胞子等の汚染物は、食事とともに体内に摂取されることが多く、料理を行うキッチン周辺は特に注意されている。そのため、消毒や洗浄に効果を発揮する電解水を供給する本発明の電解水供給装置のような装置は、キッチン周辺に置かれることが多い傾向にある。一方、食事に対して気を使う人々が増え、料理のレシピがテレビ放送等で公開されている。キッチンでは、料理のレシピを見ながら食事を作ることもある。テレビ放送で放映される料理のレシピは、キッチン周辺にテレビを置いていない限りテレビ放送を見ながら作ることができず、通常、そのレシピをメモ用紙等に記載して作ることが行われている。しかしながら、キッチン周辺は濡れていることが多く、メモ用紙等が水にぬれ、記載されているレシピが見られなくなってしまうこともあった。また、完成された料理を想像しながら作るため、必ずしもテレビ放送で放映された料理を再現することができないという難点もあった。
【００３６】
例えば、このような状況で、本発明の電解水供給装置は、水に濡れて見られなくなるメモ用紙を使用することがなく、レシピを確認することができる。また、キッチン周辺に置かれることで、テレビ放送を見ながら食事を作ることもできるため、放映される料理のレシピや完成した料理を見ながら食事が作れる。したがって、放映された料理をより忠実に再現することもできる。さらに、料理をしながら他の情報も得ることができ、好適である。
【００３７】
記憶部３７は、表示部３０に表示する画像と、その画像に対応して音声出力部３５で出力する音声とを記憶している。この記憶部３７スイッチ群１０４の操作に基づいて制御部３９により制御される。制御部３９は、記憶部３７で記憶された画像と音声とを読み出し、画像を表示部３０に表示させ、それに対応する音声を音声出力部３５に出力させる。そして、この記憶部３７は、スイッチ群１０４の操作に基づいた制御部３９の制御により、受信部３８で受信したテレビ放送信号を画像及びその画像に対応する音声として記憶することができる。これにより、いつでも所望の画像を見ることができ、複数回見ることも可能である。この記憶部３７は、ハードディスク等のような記憶装置を装置内部に内蔵させるようなものであってもよいが、画像や音声が記憶された記録媒体等を装置内に適宜挿入するようなものであってもよい。
【００３８】
上述のような構造を有する本発明の電解水供給装置は、図示されていない電源と電気的に接続し、スイッチ群１０４の操作によって作動させることができる。本発明の電解水供給装置から電解水を出水させる場合、スイッチ群１０４を操作することで、電解槽２０に原水を供給し、酸性とアルカリ性の電解水を調製する。まず、水等の原水を供給部１０の例えばポンプやバルブを作動させ、電解槽２０に供給する。このとき、ポンプやバルブ等をスイッチ群１０４に基づいて制御部３９で制御することによって流量等を調整することもできる。
【００３９】
そして、原水が供給部１０から電解槽２０に供給される際、電解質添加部１５により電解質が原水に添加される。そして、電解質が添加された原水は、電解槽２０に流入する。電解槽２０は、電源と電気的に接続さており、隔膜２１を介して陽極２２側と陰極２３側とで、供給された原水の電解反応を行うことができる。
【００４０】
例えば、水に塩化ナトリウムを添加すると、陽極２２側では、水素イオン（Ｈ＋）が発生し、陰極２３では、水酸化物イオン（ＯＨ−）が発生する。したがって、陽極２２側では、酸性の電解水となり、陰極２３側では、アルカリ性の電解水となる。このように、電解槽２０による電解によって酸性電解水とアルカリ性電解水とを生成することができる。このとき、陽極２２側には、塩化ナトリウム由来の塩化物イオン（Ｃｌ−）によって次亜塩素酸も生成する。この酸性電解水は殺菌性に優れ、アルカリ性電解水はたんぱく質をはじめとする有機物に対して高い洗浄効果を示す。
【００４１】
電解槽２０の陽極２２側で生成した酸性電解水は、陽極２２側に形成された流路を通じて、切替部１２に供給される。同様に、電解槽２０の陰極２３側で生成したアルカリ性電解水は、陰極２３側に形成された流路を通じて、切替部１２に供給される。そして、この切替部１２を制御して出水口９から所要の電解水を出水することができる。この電解水を消毒や洗浄に用いることができる。
【００４２】
例えば、図３のように、切替部１２の酸性とアルカリ性の電解水の合流点上流側のバルブ１及びバルブ２の開け閉めによって各電解水の出水を切り替えることができる。この場合、バルブ１のみを開けることで、酸性の電解水を出水することができる。また、バルブ２のみを開けることで、アルカリ性の電解水を出水することができる。
【００４３】
このとき、ｐHセンサ１４出水される電解水の水素イオン濃度を測定する。その値を制御部３９に送信し、制御部３９の制御によって、表示部３０に表示される。この値を表示することで、電解水の状態を確認することができ、この数値から消毒や洗浄に適した電解水であるか否かを確認することもできる。
【００４４】
この表示部３０は、スイッチ群１０４の操作に基づいて画像を表示することができる。この画像は、受信部３８で受信したテレビ放送信号に基づく画像又は記憶部３７に記憶された画像である。この画像の選択は、表示部３０を確認しながらスイッチ群１０４の操作によって適宜選択することもできる。このとき、音声出力部３５は、表示部３０に表示される画像に対応する音声を出力する。これにより、電解水に関する情報以外の画像を表示することができる。
【００４５】
したがって、本発明の電解水供給装置は、原水を電解することによって酸性又はアルカリ性の電解水を供給することができ、酸性の電解水によって細菌等の殺菌消毒や、たんぱく質等による汚れの洗浄等を行うことができる。また、水素イオン濃度によっては飲料水を提供することもできる。さらには、表示手段によって、画像を表示することで、装置に関する情報以外の情報や画像を提供することができる。
【００４６】
本発明の電解水供給装置は、電解槽２０で生成された酸性の前記電解水を貯蔵する酸性電解水貯蔵部と、電解槽２０で生成されたアルカリ性の前記電解水を貯蔵するアルカリ性電解水貯蔵部とを備えてもよい。この場合、酸性電解水貯蔵部は、電解水２０の陽極２２側に形成された流路の切換部１２よりも上流側に備えられる。また、アルカリ性電解水貯蔵部は、電解水２０の陰極２３側に形成された流路の切換部１２よりも上流側に備えられる。これら貯蔵部を備えることで、生成した酸性又はアルカリ性の電解水を貯めておくことができる。そのため、消毒及び洗浄を必要とする際に原水の電解を待つことなく酸性又はアルカリ性の電解水を使用することができる。
【００４７】
［実施の形態２］
本発明の電解水供給装置は、図４のように、実施の形態１で説明した電解水供給装置に酸性とアルカリ性の電解水を混合する混合部１８を備えたものである。その他の部材については、実施の形態１と同様であるので、同一番号を付して説明を省略する。また、実施の形態２で示す電解水供給装置の外観形状も略同様であるため説明を省略する。
【００４８】
混合部１８は、電解槽２０の陽極２２側及び陰極２３側と配管等によってそれぞれ接続され、生成した酸性とアルカリ性の電解水が供給されるように流路が形成されている。この混合部１８の酸性及びアルカリ性の電解水の流入口近傍には、図示されないバルブ等が備えられ、酸性やアルカリ性の電解水の流入量がスイッチ群１０４の操作に基づいて制御される。この酸性とアルカリ性の電解水の混合部１８への流入量を制御することで、所定の水素イオン濃度を有する電解水を作り出すことができる。この流路は、図４のように、切換部１２への流路の途中で分岐するように設けられていてもよいが、電解槽２０の陽極２２側及び陰極２３側にそれぞれ直接接続されていてもよい。また、混合部１８は、供給部１０から必要な量の原水が供給されるように接続されている。
【００４９】
この混合部１８は、電解槽２０で生成した酸性とアルカリ性の電解水と混合して、水素イオン濃度を調節した電解水を生成することができる。混合部１８で酸性とアルカリ性の電解水が混合することで生成した電解水は、出水口１９に供給される。この出水口１９から出水される。この出水される電解水の水素イオン濃度は、ｐHセンサ１４によって測定され、その値は、出水する電解水の状態として、制御部３９を介して表示部３０に表示される。
【００５０】
これにより、消毒や洗浄を行うものの性質、殺菌する菌や洗浄する有機物の種類等によって、最適な水素イオン濃度を調節して消毒や洗浄を行うことができ、消毒や洗浄に適した電解水を供給することができる。また、水素イオン濃度（ｐＨ）が９〜１０程度のアルカリ性電解水（いわゆるアルカリイオン水）は、飲料水として利用することができる。したがって、本発明の電解水供給装置は、飲料水も生成することができる。
【００５１】
上述のように、出水する電解水は、ｐHセンサ１４によって水素イオン濃度が測定され、電解水の状態として制御部３９を介して表示部３０に表示される。このとき、電解水の温度や硬度も同様に、温度センサや硬度センサ等で測定し、その測定値を電解水の状態として制御部３９を介して表示部３０に表示させてもよい。
【図面の簡単な説明】
【００５２】
【図１】本発明の電解水供給装置の一例の外観を示す図である。
【図２】本発明の電解水供給装置の内部機構を示すブロック図である。
【図３】本発明の電解水供給装置の切替部の機構を示す図である。
【図４】本発明の電解水供給装置の内部機構を示すブロック図である。
【符号の説明】
【００５３】
１０  供給部
１５  電解質添加部
２０  電解槽
２１  隔膜
２２  陽極
２３  陰極
１２  切換部
１４  ｐHセンサ
１９  出水口
３０  表示部
３５  音声出力部
３７  記憶部
３８  受信部
３９  制御部
１０４  スイッチ群
【図１】
2007038063.tif 000003
【図２】
2007038063.tif 000004
【図３】
2007038063.tif 000005
【図４】
2007038063.tif 000006